(57)【要約】  患者の歯列形状に基づいて作製された歯列模型の撮影方法は、上顎側歯列模型３と下顎側歯列模型４との相互位置を調整する段階と、相互位置が調整された上顎側歯列模型３に撮影可能な基準部５を形成し、相互位置が調整された下顎側歯列模型４に、上顎側歯列模型３に形成された基準部５に対する基準位置を示す撮影可能な基準部６を形成する段階と、基準部５及び６が夫々形成された上顎側歯列模型３及び下顎側歯列模型４の夫々を撮影する段階とを具備している。
2013132537.tif 000002
【特許請求の範囲】
【請求項１】
上顎側歯列模型と下顎側歯列模型との相互位置を調整する段階と、相互位置が調整された上顎側歯列模型及び下顎側歯列模型のうちの一方に撮影可能な第一基準部を形成し、相互位置が調整された上顎側歯列模型及び下顎側歯列模型のうちの他方に、第一基準部に対する基準位置を示す撮影可能な第二基準部を形成する段階と、第一基準部及び第二基準部が夫々形成された上顎側歯列模型及び下顎側歯列模型の夫々を撮影する段階とを具備している歯列模型の撮影方法。
【請求項２】
第一基準部は少なくとも一つの目印を有しており、第二基準部は、第一基準部の少なくとも一つの目印に相対する少なくとも一つの目印を有している請求項１に記載の歯列模型の撮影方法。
【請求項３】
第一基準部は、少なくとも二つの目印を有しており、第二基準部は、第一基準部の少なくとも二つの目印の夫々に相対する少なくとも二つの目印を有しており、第一基準部の少なくとも二つの目印のうちの一方及び前記一方の目印に相対する第二基準部の少なくとも二つの目印のうちの一方は、第一基準部の少なくとも二つの目印のうちの他方及び前記他方の目印に相対する第二基準部の少なくとも二つの目印のうちの他方に対して、前側に配されている請求項１に記載の歯列模型の撮影方法。
【請求項４】
第一基準部は、少なくとも三つの目印を有しており、当該少なくとも三つの目印のうちの一つである第一の目印は、当該少なくとも三つの目印のうちの第一の目印を除く二つである第二の目印及び第三の目印に対して右側に配されており、第二の目印は、前記第一の目印及び第三の目印に対して左側に配されており、第三の目印は、前記第一の目印及び第二の目印に対して前側に配されており、第二基準部は、少なくとも他の三つの目印を有しており、当該少なくとも他の三つの目印のうちの一つである第四の目印は、前記第一の目印に相対すると共に、当該少なくとも他の三つの目印のうちの第四の目印を除く二つである第五の目印及び第六の目印に対して右側に配されており、第五の目印は、第二の目印に相対すると共に、第四の目印及び第六の目印に対して左側に配されており、第六の目印は、第三の目印に相対すると共に、第四の目印及び第五の目印に対して前側に配されている請求項１に記載の歯列模型の撮影方法。
【請求項５】
目印は筋からなる請求項２から４のいずれか一項に記載の歯列模型の撮影方法。
【請求項６】
筋は上下方向に伸びている請求項５に記載の歯列模型の撮影方法。
【請求項７】
上顎側歯列模型及び下顎側歯列模型のうちの一方の上下方向に伸びた筋と上顎側歯列模型及び下顎側歯列模型のうちの他方の上下方向に伸びた筋とは、夫々互いに一直線上に位置するように形成される請求項６に記載の歯列模型の撮影方法。
【請求項８】
上顎側歯列模型及び下顎側歯列模型のうちの一方の上下方向に伸びた筋は、上顎側歯列模型及び下顎側歯列模型のうちの他方の上下方向に伸びた筋に連なるように形成される請求項６又は７に記載の歯列模型の撮影方法。
【請求項９】
筋は前後方向又は横方向に伸びている請求項５に記載の歯列模型の撮影方法。
【請求項１０】
目印は点からなる請求項２から４のいずれか一項に記載の歯列模型の撮影方法。
【請求項１１】
第一基準部は基準面を有しており、第二基準部は、第一基準部の基準面に対して面一な基準面を有している請求項１から１０のいずれか一項に記載の歯列模型の撮影方法。
【請求項１２】
第一基準部及び第二基準部の夫々の基準面は、前後軸に垂直な面に対して平行である請求項１１に記載の歯列模型の撮影方法。
【請求項１３】
第一基準部及び第二基準部の夫々の基準面は、鉛直面に対して平行である請求項１１又は１２に記載の歯列模型の撮影方法。
【請求項１４】
第一基準部の基準面は、第一基準部が形成された上顎側歯列模型及び下顎側歯列模型のうちの一方の後面に形成され、第二基準部の基準面は、第二基準部が形成された上顎側歯列模型及び下顎側歯列模型のうちの他方の後面に形成される請求項１１から１３のいずれか一項に記載の歯列模型の撮影方法。
【請求項１５】
上顎側歯列模型及び下顎側歯列模型の夫々は、模型上歯列相当部及び模型上歯肉相当部を具備しており、第一基準部は上顎側歯列模型及び下顎側歯列模型のうちの一方の模型上歯列相当部及び模型上歯肉相当部のうちの少なくとも一つに形成され、第二基準部は上顎側歯列模型及び下顎側歯列模型のうちの他方の模型上歯列相当部及び模型上歯肉相当部のうちの少なくとも一つに形成される請求項１から１４のいずれか一項に記載の歯列模型の撮影方法。
【請求項１６】
上顎側歯列模型及び下顎側歯列模型の夫々は、模型上歯列相当部、模型上歯肉相当部及び台座を具備しており、第一基準部は上顎側歯列模型及び下顎側歯列模型のうちの一方の模型上歯列相当部、模型上歯肉相当部及び台座のうちの少なくとも一つに形成され、第二基準部は上顎側歯列模型及び下顎側歯列模型のうちの他方の模型上歯列相当部、模型上歯肉相当部及び台座のうちの少なくとも一つに形成される請求項１から１４のいずれか一項に記載の歯列模型の撮影方法。
【請求項１７】
咬合採得した咬合相補面を有するバイト用印象材を上顎側歯列模型及び下顎側歯列模型に咬み合わせて当該上顎側歯列模型と下顎側歯列模型との相互位置を調整する請求項１から１６のいずれか一項に記載の歯列模型の撮影方法。
【請求項１８】
請求項１から１７のいずれか一項に記載の歯列模型の撮影方法に用いられる上顎側歯列模型であって第一基準部又は第二基準部が形成されている上顎側歯列模型。
【請求項１９】
請求項１から１７のいずれか一項に記載の歯列模型の撮影方法に用いられる下顎側歯列模型であって第一基準部又は第二基準部が形成されている下顎側歯列模型。
【請求項２０】
請求項１から１７のいずれか一項に記載の歯列模型の撮影方法によって撮影された上顎側歯列模型及び下顎側歯列模型の夫々の撮影データに基づいて、電子計算機による処理可能な第一基準部及び第二基準部の夫々を含む上顎側歯列模型画像及び下顎側歯列模型画像を夫々生成する段階と、前記段階において生成した上顎側歯列模型画像及び下顎側歯列模型画像が座標系において夫々互いに独立して位置調整可能となるように表示する段階とを具備している位置調整支援プログラム。
【請求項２１】
請求項１１から１４のいずれか一項に記載の歯列模型の撮影方法によって撮影された上顎側歯列模型及び下顎側歯列模型の夫々の撮影データに基づいて、電子計算機による処理可能な第一基準部及び第二基準部の夫々を含む上顎側歯列模型画像及び下顎側歯列模型画像を夫々生成する段階と、前記段階において生成した上顎側歯列模型画像及び下顎側歯列模型画像の夫々の基準面が互いに面一となるように配設可能な平面を表示し、この表示した平面と平行する方向において上顎側歯列模型画像及び下顎側歯列模型画像を夫々互いに独立して位置調整可能となるように当該上顎側歯列模型画像及び下顎側歯列模型画像を夫々表示する段階とを具備している位置調整支援プログラム。
【請求項２２】
請求項１から１７のいずれか一項に記載の歯列模型の撮影方法によって撮影された上顎側歯列模型及び下顎側歯列模型の夫々の撮影データに基づいて、電子計算機による処理可能な第一基準部及び第二基準部の夫々を含む上顎側歯列模型画像及び下顎側歯列模型画像を夫々生成する手段と、前記手段によって生成した上顎側歯列模型画像及び下顎側歯列模型画像が座標系において夫々互いに独立して位置調整可能となるように表示する手段とを具備している位置調整支援装置。
【請求項２３】
請求項１１から１４のいずれか一項に記載の歯列模型の撮影方法によって撮影された上顎側歯列模型及び下顎側歯列模型の夫々の撮影データに基づいて、電子計算機による処理可能な第一基準部及び第二基準部の夫々を含む上顎側歯列模型画像及び下顎側歯列模型画像を夫々生成する手段と、前記手段によって生成した上顎側歯列模型画像及び下顎側歯列模型画像の夫々の基準面が互いに面一となるように配設可能な平面を表示し、この表示した平面と平行する方向において上顎側歯列模型画像及び下顎側歯列模型画像を夫々互いに独立して位置調整可能となるように当該上顎側歯列模型画像及び下顎側歯列模型画像を夫々表示する手段とを具備している位置調整支援装置。
【請求項２４】
請求項１８又は１９に記載の位置調整支援プログラムに基づいて上顎側歯列模型画像及び下顎側歯列模型画像を表示する表示装置。
【発明の詳細な説明】
【技術分野】
【０００１】
本発明は、患者の歯列形状に基づいて作製した歯列模型の撮影方法、これに用いられる上顎側歯列模型及び下顎側歯列模型、位置調整支援プログラム並びに表示装置に関する。
【背景技術】
【０００２】
例えば特許文献１においては、目印が付された歯の模型の共通の目印を検出して当該歯の模型の移動を決定する方法が提案されている。
【先行技術文献】
【特許文献】
【０００３】
【特許文献１】米国特許出願公開第２００６／０１２７８３６号明細書
【発明の概要】
【発明が解決しようとする課題】
【０００４】
ところで、患者の上顎側歯列を印象材にて型取りし、前記印象材を用いて作製した上顎側歯列模型と、前記患者の下顎側歯列を印象材にて型取りし、前記印象材を用いて作製した下顎側歯列模型との夫々をＣＴ撮影装置等によって別々に撮影し、撮影して得た上顎側歯列模型画像と下顎側歯列模型画像との相互の位置関係を、前記患者の上顎側歯列と下顎側歯列との相互の位置関係に対応させることは困難である。【０００５】
本発明は、前記諸点に鑑みてなされたものであり、その目的とするところは、上顎側歯列模型画像と下顎側歯列模型画像との相互の位置関係を患者の上顎側歯列と下顎側歯列との相互の位置関係に容易に対応させることができる歯列模型の撮影方法、これに用いられる上顎側歯列模型及び下顎側歯列模型、位置調整支援プログラム並びに表示装置を提供することにある。
【課題を解決するための手段】
【０００６】
本発明の歯列模型の撮影方法は、上顎側歯列模型と下顎側歯列模型との相互位置を調整する段階と、相互位置が調整された上顎側歯列模型及び下顎側歯列模型のうちの一方に撮影可能な第一基準部を形成し、相互位置が調整された上顎側歯列模型及び下顎側歯列模型のうちの他方に、第一基準部に対する基準位置を示す撮影可能な第二基準部を形成する段階と、第一基準部及び第二基準部が夫々形成された上顎側歯列模型及び下顎側歯列模型の夫々を撮影する段階とを具備している。【０００７】
本発明の歯列模型の撮影方法によれば、上顎側歯列模型と下顎側歯列模型との相互位置を調整する段階と、相互位置が調整された上顎側歯列模型及び下顎側歯列模型のうちの一方に撮影可能な第一基準部を形成し、相互位置が調整された上顎側歯列模型及び下顎側歯列模型のうちの他方に、第一基準部に対する基準位置を示す撮影可能な第二基準部を形成する段階と、第一基準部及び第二基準部が夫々形成された上顎側歯列模型及び下顎側歯列模型の夫々を撮影する段階とを具備しているために、上顎側歯列模型画像と下顎側歯列模型画像との相互の位置関係を患者の上顎側歯列と下顎側歯列との相互の位置関係に容易に対応させることができる。【０００８】
本発明の歯列模型の撮影方法では、第一基準部は少なくとも一つの目印を有しており、第二基準部は、第一基準部の少なくとも一つの目印に相対する少なくとも一つの目印を有していてもよい。【０００９】
本発明の歯列模型の撮影方法では、第一基準部は、少なくとも二つの目印を有しており、第二基準部は、第一基準部の少なくとも二つの目印の夫々に相対する少なくとも二つの目印を有しており、第一基準部の少なくとも二つの目印のうちの一方及び前記一方の目印に相対する第二基準部の少なくとも二つの目印のうちの一方は、第一基準部の少なくとも二つの目印のうちの他方及び前記他方の目印に相対する第二基準部の少なくとも二つの目印のうちの他方に対して、前側に配されていてもよい。【００１０】
本発明の歯列模型の撮影方法では、第一基準部は、少なくとも三つの目印を有しており、当該少なくとも三つの目印のうちの一つである第一の目印は、当該少なくとも三つの目印のうちの第一の目印を除く二つである第二の目印及び第三の目印に対して右側に配されており、第二の目印は、前記第一の目印及び第三の目印に対して左側に配されており、第三の目印は、前記第一の目印及び第二の目印に対して前側に配されており、第二基準部は、少なくとも他の三つの目印を有しており、当該少なくとも他の三つの目印のうちの一つである第四の目印は、前記第一の目印に相対すると共に、当該少なくとも他の三つの目印のうちの第四の目印を除く二つである第五の目印及び第六の目印に対して右側に配されており、第五の目印は、第二の目印に相対すると共に、第四の目印及び第六の目印に対して左側に配されており、第六の目印は、第三の目印に相対すると共に、第四の目印及び第五の目印に対して前側に配されていてもよい。【００１１】
本発明の歯列模型の撮影方法では、目印は筋からなっていてもよい。【００１２】
本発明の歯列模型の撮影方法では、筋は上下方向に伸びていてもよい。【００１３】
本発明の歯列模型の撮影方法では、上顎側歯列模型及び下顎側歯列模型のうちの一方の上下方向に伸びた筋と上顎側歯列模型及び下顎側歯列模型のうちの他方の上下方向に伸びた筋とは、夫々互いに一直線上に位置するように形成されてもよい。【００１４】
本発明の歯列模型の撮影方法では、上顎側歯列模型及び下顎側歯列模型のうちの一方の上下方向に伸びた筋は、上顎側歯列模型及び下顎側歯列模型のうちの他方の上下方向に伸びた筋に連なるように形成されてもよい。【００１５】
本発明の歯列模型の撮影方法では、筋は前後方向又は横方向に伸びていてもよい。【００１６】
本発明の歯列模型の撮影方法では、目印は点からなっていてもよい。【００１７】
本発明の歯列模型の撮影方法では、第一基準部は基準面を有しており、第二基準部は、第一基準部の基準面に対して面一な基準面を有していてもよい。【００１８】
本発明の歯列模型の撮影方法では、第一基準部及び第二基準部の夫々の基準面は、前後軸に垂直な面に対して平行であってもよい。【００１９】
本発明の歯列模型の撮影方法では、第一基準部及び第二基準部の夫々の基準面は、鉛直面に対して平行であってもよい。【００２０】
本発明の歯列模型の撮影方法では、第一基準部の基準面は、第一基準部が形成された上顎側歯列模型及び下顎側歯列模型のうちの一方の後面に形成され、第二基準部の基準面は、第二基準部が形成された上顎側歯列模型及び下顎側歯列模型のうちの他方の後面に形成されてもよい。このような歯列模型の撮影方法によれば、上顎側歯列模型画像及び下顎側歯列模型画像の前後方向における相互位置を容易に調整することができる。【００２１】
本発明の歯列模型の撮影方法では、上顎側歯列模型及び下顎側歯列模型の夫々は、模型上歯列相当部及び模型上歯肉相当部を具備しており、第一基準部は上顎側歯列模型及び下顎側歯列模型のうちの一方の模型上歯列相当部及び模型上歯肉相当部のうちの少なくとも一つに形成され、第二基準部は上顎側歯列模型及び下顎側歯列模型のうちの他方の模型上歯列相当部及び模型上歯肉相当部のうちの少なくとも一つに形成されてもよい。また、本発明の歯列模型の撮影方法では、上顎側歯列模型及び下顎側歯列模型の夫々は、模型上歯列相当部、模型上歯肉相当部及び台座を具備しており、第一基準部は上顎側歯列模型及び下顎側歯列模型のうちの一方の模型上歯列相当部、模型上歯肉相当部及び台座のうちの少なくとも一つに形成され、第二基準部は上顎側歯列模型及び下顎側歯列模型のうちの他方の模型上歯列相当部、模型上歯肉相当部及び台座のうちの少なくとも一つに形成されてもよい。【００２２】
本発明の歯列模型の撮影方法では、咬合採得した咬合相補面を有するバイト用印象材を上顎側歯列模型及び下顎側歯列模型に咬み合わせて当該上顎側歯列模型と下顎側歯列模型との相互位置を調整してもよい。このような歯列模型の撮影方法によれば、上顎側歯列模型と下顎側歯列模型との相互位置を咬合状態における相互位置に容易に調整することができる。【００２３】
本発明の上顎側歯列模型は、上述の本発明の歯列模型の撮影方法に用いられる上顎側歯列模型であって第一基準部又は第二基準部が形成されている。【００２４】
本発明の下顎側歯列模型は、上述の本発明の歯列模型の撮影方法に用いられる下顎側歯列模型であって第一基準部又は第二基準部が形成されている。【００２５】
本発明の位置調整支援プログラムは、上述の本発明の歯列模型の撮影方法によって撮影された上顎側歯列模型及び下顎側歯列模型の夫々の撮影データに基づいて、電子計算機による処理可能な第一基準部及び第二基準部の夫々を含む上顎側歯列模型画像及び下顎側歯列模型画像を夫々生成する段階と、前記段階において生成した上顎側歯列模型画像及び下顎側歯列模型画像が座標系において夫々互いに独立して位置調整可能となるように表示する段階とを具備している。【００２６】
本発明の位置調整支援プログラムは、上述の本発明の歯列模型の撮影方法によって撮影された基準面を含む上顎側歯列模型及び基準面を含む下顎側歯列模型の夫々の撮影データに基づいて、電子計算機による処理可能な第一基準部及び第二基準部の夫々を含む上顎側歯列模型画像及び下顎側歯列模型画像を夫々生成する段階と、前記段階において生成した上顎側歯列模型画像及び下顎側歯列模型画像の夫々の基準面が互いに面一となるように配設可能な平面を表示し、この表示した平面と平行する方向において上顎側歯列模型画像及び下顎側歯列模型画像を夫々互いに独立して位置調整可能となるように当該上顎側歯列模型画像及び下顎側歯列模型画像を夫々表示する段階とを具備している。【００２７】
本発明の位置調整支援装置は、上述の本発明の歯列模型の撮影方法によって撮影された上顎側歯列模型及び下顎側歯列模型の夫々の撮影データに基づいて、電子計算機による処理可能な第一基準部及び第二基準部の夫々を含む上顎側歯列模型画像及び下顎側歯列模型画像を夫々生成する手段と、前記手段によって生成した上顎側歯列模型画像及び下顎側歯列模型画像が座標系において夫々互いに独立して位置調整可能となるように表示する手段とを具備している。【００２８】
本発明の位置調整支援装置は、上述の本発明の歯列模型の撮影方法によって撮影された上顎側歯列模型及び下顎側歯列模型の夫々の撮影データに基づいて、電子計算機による処理可能な第一基準部及び第二基準部の夫々を含む上顎側歯列模型画像及び下顎側歯列模型画像を夫々生成する手段と、前記手段によって生成した上顎側歯列模型画像及び下顎側歯列模型画像の夫々の基準面が互いに面一となるように配設可能な平面を表示し、この表示した平面と平行する方向において上顎側歯列模型画像及び下顎側歯列模型画像を夫々互いに独立して位置調整可能となるように当該上顎側歯列模型画像及び下顎側歯列模型画像を夫々表示する手段とを具備している。【００２９】
本発明の表示装置は、上述の本発明の位置調整支援プログラムに基づいて上顎側歯列模型画像及び下顎側歯列模型画像を表示するように構成されている。
【発明の効果】
【００３０】
本発明によれば、上顎側歯列模型画像と下顎側歯列模型画像との相互の位置関係を患者の上顎側歯列と下顎側歯列との相互の位置関係に容易に対応させることができる歯列模型の撮影方法、これに用いられる上顎側歯列模型及び下顎側歯列模型、位置調整支援プログラム並びに表示装置を提供し得る。
【図面の簡単な説明】
【００３１】
【図１】図１は本発明の実施の形態の例に用いられる主に歯列模型の前面説明図である。
【図２】図２は図１に示す歯列模型の左側説明図である。
【図３】図３は図１に示す歯列模型の右側説明図である。
【図４】図４は歯列模型画像の位置調整に関する説明図である。
【図５】図５は歯列模型画像の位置調整に関する概念説明図である。
【図６】図６は図１に示す歯列模型に形成される主に目印に関する説明図である。
【発明を実施するための形態】
【００３２】
次に、本発明の実施の形態の例を、図に示す例に基づいて更に詳細に説明する。尚、本発明は、これら例に何等限定されないのである。
【実施例】
【００３３】
図１は、予め患者の咬合面を型取りしたバイト用印象材２を咬み合わせた状態の上顎側歯列模型３及び下顎側歯列模型４の前面説明図であり、図２は、予め患者の咬合面を型取りした印象材２を咬み合わせた状態の上顎側歯列模型３及び下顎側歯列模型４の左側説明図であり、図３は、予め患者の咬合面を型取りした印象材２を咬み合わせた状態の上顎側歯列模型３及び下顎側歯列模型４の右側説明図である。【００３４】
印象材２は、所謂マッシュバイト等のバイトに用いられる印象材であって例えばシリコン、ゴム、粘土、コンパウンド、アルジネート、ワックス、石膏、真鍮、寒天等の材料からなる。咬合採得前の印象材２はプレーン状であってもよい。斯かる印象材２には、咬合採得後においては患者の咬合面に相補的な咬合相補面が形成される。【００３５】
上顎側歯列模型３は、患者の上顎側歯列を印象採得した印象材を用いて作製されている。上顎側歯列模型３は、患者の上顎側歯列と同形状の模型上歯列相当部１１と、模型上歯列相当部１１に連なる模型上歯肉相当部１２と、模型上歯肉相当部１２を介して模型上歯列相当部１１を保持する台座１３とを具備している。上顎側歯列模型３は、本例では石膏製であり、模型上歯列相当部１１、模型上歯肉相当部１２及び台座１３が一体的に形成されている。斯かる上顎側歯列模型３には後述の基準部５が形成されている。【００３６】
下顎側歯列模型４は、患者の下顎側歯列を印象採得した印象材を用いて作製されている。下顎側歯列模型４は、患者の下顎側歯列と同形状の模型上歯列相当部２１と、模型上歯列相当部２１に連なる模型上歯肉相当部２２と、模型上歯肉相当部２２を介して模型上歯列相当部２１を保持する台座２３とを具備している。下顎側歯列模型４は、本例では石膏製であり、模型上歯列相当部２１、模型上歯肉相当部２２及び台座２３が一体的に形成されている。斯かる下顎側歯列模型４には後述の基準部６が形成されている。【００３７】
上顎側歯列模型３に形成された基準部５は、本例では、目印３１ａ、３２ａ、３３ａ、３４ａ、３５ａ及び３６ａと、基準面３０ａとを有している。【００３８】
基準面３０ａは、上顎側歯列模型３の後面１４に形成されている。基準面３０ａは、前後方向Ｈに伸びた前後軸に垂直な面に対して平行であってもよく、前頭面に対して平行であってもよく、鉛直面に対して平行であってもよい。また、基準面３０ａは、咬合状態において上顎側歯列及び下顎側歯列のうちの一方の当該上顎側歯列及び下顎側歯列の他方に対する仮定の咬合力が生じる方向に対して平行であってもよく、咬合平面に対して直交する方向に対して平行であってもよい。【００３９】
目印３１ａ及び３２ａは上顎側歯列模型３の前側であって唇側に、目印３３ａ及び３４ａは上顎側歯列模型３の左側であって頬側に、目印３５ａ及び３６ａは上顎側歯列模型３の右側であって頬側に夫々配されている。【００４０】
下顎側歯列模型４に形成された基準部６は、本例では、目印３１ａ、３２ａ、３３ａ、３４ａ、３５ａ及び３６ａに相対する目印３１ｂ、３２ｂ、３３ｂ、３４ｂ、３５ｂ及び３６ｂと、基準面３０ａに対して面一な基準面３０ｂとを有している。【００４１】
基準面３０ｂは、下顎側歯列模型３の後面２４に形成されている。基準面３０ｂは、前後方向Ｈに伸びた前後軸に垂直な面に対して平行であってもよく、前頭面に対して平行であってもよく、鉛直面に対して平行であってもよい。また、基準面３０ｂは、咬合状態において上顎側歯列及び下顎側歯列のうちの一方の当該上顎側歯列及び下顎側歯列の他方に対する仮定の咬合力が生じる方向に対して平行であってもよく、咬合平面に対して直交する方向に対して平行であってもよい。【００４２】
目印３１ｂ及び３２ｂは下顎側歯列模型４の前側であって唇側に、目印３３ｂ及び３４ｂは下顎側歯列模型４の左側であって頬側に、目印３５ｂ及び３６ｂは下顎側歯列模型４の右側であって頬側に夫々配されている。【００４３】
目印３１ｂは目印３１ａに相対しており、目印３２ｂは目印３２ａに相対しており、目印３３ｂは目印３３ａに相対しており、目印３４ｂは目印３４ａに相対しており、目印３５ｂは目印３５ａに相対しており、そして、目印３６ｂは目印３６ａに相対している。【００４４】
目印３３ａ及び３４ａ並びに目印３３ｂ及び３４ｂは、上下方向Ｖ及び前後方向Ｘに直交する横方向Ｓにおいて正中に対して一方の遠心側に配されており、目印３５ａ及び３６ａ並びに目印３５ｂ及び３６ｂは、横方向Ｓにおいて正中に対して他方の遠心側に配されており、目印３１ａ及び３２ａ並びに目印３１ｂ並びに３２ｂは、横方向Ｓにおいて、目印３３ａ及び３４ａ並びに目印３３ｂ及び３４ｂと目印３５ａ及び３６ａ並びに目印３５ｂ及び３６ｂとの間に配されている。【００４５】
上下方向Ｖにおいて互いに相対する目印３１ａ及び３１ｂ並びに上下方向Ｖにおいて互いに相対する目印３２ａ及び３２ｂは、上下方向Ｖにおいて互いに相対する目印３３ａ及び３３ｂ並びに上下方向Ｖにおいて互いに相対する目印３４ａ及び３４ｂに対して、近心側に且つ前側に配されている。【００４６】
上下方向Ｖにおいて互いに相対する目印３１ａ及び３１ｂ並びに上下方向Ｖにおいて互いに相対する目印３２ａ及び３２ｂは、上下方向Ｖにおいて互いに相対する目印３５ａ及び３５ｂ並びに上下方向Ｖにおいて互いに相対する目印３６ａ及び３６ｂに対して、正中側若しくは近心側に且つ前側に配されている。【００４７】
目印３１ａ、３２ａ、３３ａ、３４ａ、３５ａ及び３６ａ並びに目印３１ｂ、３２ｂ、３３ｂ、３４ｂ、３５ｂ及び３６ｂの夫々は、上下方向Ｖに伸びた筋からなる。【００４８】
目印３１ａ及び３１ｂは図１に示すように前面視において夫々互いに一直線上に位置しており、目印３２ａ及び３２ｂは図１に示すように前面視において夫々互いに一直線上に位置しており、目印３３ａ及び３３ｂは図２に示すように左側面視において夫々互いに一直線上に位置しており、目印３４ａ及び３４ｂは図２に示すように左側面視において夫々互いに一直線上に位置しており、目印３５ａ及び３５ｂは図３に示すように右側面視において夫々互いに一直線上に位置しており、そして、目印３６ａ及び３６ｂは図３に示すように右側面視において夫々互いに一直線上に位置している。目印３１ａは目印３１ｂに接して若しくは間隔をもって連なるように形成されてもよく、目印３２ａは目印３２ｂに接して若しくは間隔をもって連なるように形成されてもよく、目印３３ａは目印３３ｂに接して若しくは間隔をもって連なるように形成されてもよく、目印３４ａは目印３４ｂに接して若しくは間隔をもって連なるように形成されてもよく、目印３５ａは目印３５ｂに接して若しくは間隔をもって連なるように形成されてもよく、目印３６ａは目印３６ｂに接して若しくは間隔をもって連なるように形成されてもよい。また、目印３１ａは目印３１ｂの接線方向の延長線上に位置するように形成されてもよく、目印３２ａは目印３２ｂの接線方向の延長線上に位置するように形成されてもよく、目印３３ａは目印３３ｂの接線方向の延長線上に位置するように形成されてもよく、目印３４ａは目印３４ｂの接線方向の延長線上に位置するように形成されてもよく、目印３５ａは目印３５ｂの接線方向の延長線上に位置するように形成されてもよく、目印３６ａは目印３６ｂの接線方向の延長線上に位置するように形成されてもよい。【００４９】
目印３１ａを形成する筋は、撮影装置によって撮影可能であればよく、例えば上顎側歯列模型３に筋彫り加工を施して前記筋を形成してもよく、また、上顎側歯列模型３に撮影可能な塗料でもって線引きして前記筋を形成してもよい。本例の目印３１ａは、上顎側歯列模型３の台座１３には筋彫り加工を施し、上顎側歯列模型３の模型上歯列相当部１１及び模型上歯肉相当部１２には線引きすることによって形成されている。【００５０】
目印３２ａを形成する筋は、撮影装置によって撮影可能であればよく、例えば上顎側歯列模型３に筋彫り加工を施して前記筋を形成してもよく、また、上顎側歯列模型３に撮影可能な塗料でもって線引きして前記筋を形成してもよい。本例の目印３２ａは、上顎側歯列模型３の台座１３には筋彫り加工を施し、上顎側歯列模型３の模型上歯列相当部１１及び模型上歯肉相当部１２には線引きすることによって形成されている。【００５１】
目印３３ａを形成する筋は、撮影装置によって撮影可能であればよく、例えば上顎側歯列模型３に筋彫り加工を施して前記筋を形成してもよく、また、上顎側歯列模型３に撮影可能な塗料でもって線引きして前記筋を形成してもよい。本例の目印３３ａは、上顎側歯列模型３の台座１３には筋彫り加工を施し、上顎側歯列模型３の模型上歯列相当部１１及び模型上歯肉相当部１２には線引きすることによって形成されている。【００５２】
目印３４ａを形成する筋は、撮影装置によって撮影可能であればよく、例えば上顎側歯列模型３に筋彫り加工を施して前記筋を形成してもよく、また、上顎側歯列模型３に撮影可能な塗料でもって線引きして前記筋を形成してもよい。本例の目印３４ａは、上顎側歯列模型３の台座１３には筋彫り加工を施し、上顎側歯列模型３の模型上歯列相当部１１及び模型上歯肉相当部１２には線引きすることによって形成されている。【００５３】
目印３５ａを形成する筋は、撮影装置によって撮影可能であればよく、例えば上顎側歯列模型３に筋彫り加工を施して前記筋を形成してもよく、また、上顎側歯列模型３に撮影可能な塗料でもって線引きして前記筋を形成してもよい。本例の目印３５ａは、上顎側歯列模型３の台座１３には筋彫り加工を施し、上顎側歯列模型３の模型上歯列相当部１１及び模型上歯肉相当部１２には線引きすることによって形成されている。【００５４】
目印３６ａを形成する筋は、撮影装置によって撮影可能であればよく、例えば上顎側歯列模型３に筋彫り加工を施して前記筋を形成してもよく、また、上顎側歯列模型３に撮影可能な塗料でもって線引きして前記筋を形成してもよい。本例の目印３６ａは、上顎側歯列模型３の台座１３には筋彫り加工を施し、上顎側歯列模型３の模型上歯列相当部１１及び模型上歯肉相当部１２には線引きすることによって形成されている。【００５５】
目印３１ｂを形成する筋は、撮影装置によって撮影可能であればよく、例えば下顎側歯列模型４に筋彫り加工を施して前記筋を形成してもよく、また、下顎側歯列模型４に撮影可能な塗料でもって線引きして前記筋を形成してもよい。本例の目印３１ｂは、下顎側歯列模型４の台座２３には筋彫り加工を施し、下顎側歯列模型４の模型上歯列相当部２１及び模型上歯肉相当部２２には線引きすることによって形成されている。【００５６】
目印３２ｂを形成する筋は、撮影装置によって撮影可能であればよく、例えば下顎側歯列模型４に筋彫り加工を施して前記筋を形成してもよく、また、下顎側歯列模型４に撮影可能な塗料でもって線引きして前記筋を形成してもよい。本例の目印３２ｂは、下顎側歯列模型４の台座２３には筋彫り加工を施し、下顎側歯列模型４の模型上歯列相当部２１及び模型上歯肉相当部２２には線引きすることによって形成されている。【００５７】
目印３３ｂを形成する筋は、撮影装置によって撮影可能であればよく、例えば下顎側歯列模型４に筋彫り加工を施して前記筋を形成してもよく、また、下顎側歯列模型４に撮影可能な塗料でもって線引きして前記筋を形成してもよい。本例の目印３３ｂは、下顎側歯列模型４の台座２３には筋彫り加工を施し、下顎側歯列模型４の模型上歯列相当部２１及び模型上歯肉相当部２２には線引きすることによって形成されている。【００５８】
目印３４ｂを形成する筋は、撮影装置によって撮影可能であればよく、例えば下顎側歯列模型４に筋彫り加工を施して前記筋を形成してもよく、また、下顎側歯列模型４に撮影可能な塗料でもって線引きして前記筋を形成してもよい。本例の目印３４ｂは、下顎側歯列模型４の台座２３には筋彫り加工を施し、下顎側歯列模型４の模型上歯列相当部２１及び模型上歯肉相当部２２には線引きすることによって形成されている。【００５９】
目印３５ｂを形成する筋は、撮影装置によって撮影可能であればよく、例えば下顎側歯列模型４に筋彫り加工を施して前記筋を形成してもよく、また、下顎側歯列模型４に撮影可能な塗料でもって線引きして前記筋を形成してもよい。本例の目印３５ｂは、下顎側歯列模型４の台座２３には筋彫り加工を施し、下顎側歯列模型４の模型上歯列相当部２１及び模型上歯肉相当部２２には線引きすることによって形成されている。【００６０】
目印３６ｂを形成する筋は、撮影装置によって撮影可能であればよく、例えば下顎側歯列模型４に筋彫り加工を施して前記筋を形成してもよく、また、下顎側歯列模型４に撮影可能な塗料でもって線引きして前記筋を形成してもよい。本例の目印３６ｂは、下顎側歯列模型４の台座２３には筋彫り加工を施し、下顎側歯列模型４の模型上歯列相当部２１及び模型上歯肉相当部２２には線引きすることによって形成されている。【００６１】
図１から図３に示す上顎側歯列模型３及び下顎側歯列模型４は撮影装置によって撮影される。ここで、撮影装置は、ＣＣＤ、レーザー、Ｘ線、ＣＴ、ＣＡＴ、ＭＲＩ等を用いて各種歯列模型を撮影するものであってもよい。図４に示す上顎側歯列模型画像７及び下顎側歯列模型画像８は、撮影装置を用いて上顎側歯列模型３及び下顎側歯列模型４の夫々を撮影することによって、電子計算機（コンピュータ）において座標移動処理可能であって表示装置に二次元的又は三次元的に表示可能に夫々生成される。撮影装置によって撮影した上顎側歯列模型及び下顎側歯列模型の夫々の撮影データは、位置調整支援装置としての上述の電子計算機によって処理可能である。当該位置調整支援装置は、前記撮影データに基づいて、基準部５及び６の夫々を含む上顎側歯列模型画像７及び下顎側歯列模型画像８を夫々生成する手段（生成手段）と、前記手段によって生成した上顎側歯列模型画像及び下顎側歯列模型画像が座標系において夫々互いに独立して位置調整可能となるように表示する手段（表示手段）とを具備していてもよく、また、前記撮影データに基づいて、基準部５及び６の夫々を含む上顎側歯列模型画像７及び下顎側歯列模型画像８を夫々生成する手段（生成手段）と、前記手段によって生成した上顎側歯列模型画像７及び下顎側歯列模型画像８の夫々の基準面３０ａ及び３０ｂが互いに面一となるように配設可能な平面を表示し、この表示した平面と平行する方向において上顎側歯列模型画像７及び下顎側歯列模型画像８を夫々互いに独立して位置調整可能となるように当該上顎側歯列模型画像７及び下顎側歯列模型画像８を夫々表示する手段（表示手段）とを具備している。斯かる位置調整支援装置の前記各生成手段及び表示手段は、後述の位置調整支援プログラムによって具現化されてもよい。【００６２】
電子計算機においては、撮影装置によって撮影された上顎側歯列模型３及び下顎側歯列模型４の夫々の撮影データに基づいて、電子計算機による処理可能な基準部５及び６の夫々を含む上顎側歯列模型画像７及び下顎側歯列模型画像８を夫々生成する段階と、前記段階において生成した上顎側歯列模型画像７及び下顎側歯列模型画像８が座標系において夫々互いに独立して位置調整可能となるように表示する段階とを具備している位置調整支援プログラムが実行される。位置調整支援プログラムは、本例では、生成した上顎側歯列模型画像７及び下顎側歯列模型画像８の夫々の基準面３０ａ及び３０ｂが互いに面一となるように配設可能な平面を表示し、この表示した平面と平行する方向において上顎側歯列模型画像７及び下顎側歯列模型画像８を夫々互いに独立して位置調整可能となるように当該上顎側歯列模型画像７及び下顎側歯列模型画像８を夫々表示する。斯かる位置調整支援プログラムは、電子計算機の記憶部に記憶されており、撮影装置からの撮影データの受信に基づいて起動し、上述及び後述の処理を実行するように構成されている。表示装置は、当該位置調整支援プログラムに基づいて上顎側歯列模型画像７及び下顎側歯列模型画像８を表示するように構成されている。尚、位置調整支援プログラムが一つの平面を表示するように構成されている場合には、上顎側歯列模型画像７及び下顎側歯列模型画像８の基準面３０ａ及び３０ｂの同一平面上への位置合わせは、上顎側歯列模型画像７の基準面３０ａを前記一つの平面に面一となるように位置調整操作され、且つ、下顎側歯列模型画像８の基準面３０ｂを前記一つの平面に面一となるように位置調整操作されることによって行われる。また、位置調整支援プログラムが基準面３０ａに対応する平面と基準面３０ｂに対応する他の平面とを表示するように構成されている場合には、上顎側歯列模型画像７及び下顎側歯列模型画像８の基準面３０ａ及び３０ｂの同一平面上への位置合わせは、上顎側歯列模型画像７の基準面３０ａをこれに対応する平面に面一となるように位置調整操作により設定する一方、下顎側歯列模型画像８の基準面３０ｂをこれに対応する他の平面に面一となるように位置調整操作により設定し、両設定後、前記平面と他の平面とが互いに面一となるように位置調整操作されることによって行われる。位置調整支援プログラムは、好ましくは、上顎側歯列模型画像７及び下顎側歯列模型画像８の夫々の基準面３０ａ及び３０ｂが互いに面一となるように同一平面上に配設された後には、当該平面と平行する方向に交差する方向における上顎側歯列模型画像７及び下顎側歯列模型画像８の移動は規制されるように構成される。【００６３】
以下、本例の歯列模型の撮影方法について詳細に説明する。本例の歯列模型の撮影方法は、上顎側歯列模型３と下顎側歯列模型４との相互位置を調整する段階と、相互位置が調整された上顎側歯列模型３及び下顎側歯列模型４のうちの一方としての上顎側歯列模型３に撮影可能な基準部（第一基準部）５を形成し、相互位置が調整された上顎側歯列模型３及び下顎側歯列模型４のうちの他方としての下顎側歯列模型４に、上顎側歯列模型３に形成された基準部５に対する基準位置を示す撮影可能な基準部（第二基準部）６を形成する段階と、基準部５及び６が夫々形成された上顎側歯列模型３及び下顎側歯列模型４の夫々を撮影する段階とを具備している。【００６４】
上顎側歯列模型３と下顎側歯列模型４との相互位置を調整する段階では、咬合採得した咬合相補面を有する印象材２を上顎側歯列模型３の模型上歯列相当部１１及び下顎側歯列模型４の模型上歯列相当部２１の咬合面に咬み合わせて当該上顎側歯列模型３と下顎側歯列模型４との相互位置を調整する。このようにして、上顎側歯列模型３と下顎側歯列模型４との相互位置を患者の咬合状態における上顎側歯列及び下顎側歯列の相互位置に簡単に対応させることができる。尚、前記相互位置が調整された状態においては、上顎側歯列模型３、印象材２及び下顎側歯列模型４は一つの組み合わせ体を構成することになる。【００６５】
下顎側歯列模型４に対する相対的な位置が調整された上顎側歯列模型３に撮影可能な基準部５を形成し、上顎側歯列模型３に対する相対的な位置が調整された下顎側歯列模型４に、上顎側歯列模型３に形成された基準部５に対する基準位置を示す撮影可能な基準部６を形成する段階では、上顎側歯列模型３に上述の基準面３０ａ並びに目印３１ａ、３２ａ、３３ａ、３４ａ、３５ａ及び３６ａを形成すると共に、下顎側歯列模型４に上述の基準面３０ｂ並びに目印３１ｂ、３２ｂ、３３ｂ、３４ｂ、３５ｂ及び３６ｂを形成する。【００６６】
基準面３０ａ及び３０ｂは、相互位置が調整された状態にある上顎側歯列模型３の台座１３の後面１４及び下顎側歯列模型４の台座２３の後面２４の夫々にトリマーを用いたトリミング加工を施すことによって形成する。【００６７】
目印３１ａ及び３１ｂ並びに目印３２ａ及び３２ｂは、相互位置が調整された状態にある上顎側歯列模型３及び下顎側歯列模型４の夫々の唇側の部位に、線引き及び／又は筋彫り加工を施すことによって形成する。目印３１ａ及び３１ｂは正中に対して左側寄りに形成され、目印３２ａ及び３２ｂは正中に対して右側寄りに形成される。【００６８】
目印３３ａ及び３３ｂ並びに目印３４ａ及び３４ｂは、相互位置が調整された状態にある上顎側歯列模型３及び下顎側歯列模型４の夫々の左側であって頬側の部位に、線引き及び／又は筋彫り加工を施すことによって形成する。目印３３ａは目印３４ａに対して前側に形成され、目印３３ｂは目印３４ｂに対して前側に形成される。【００６９】
目印３５ａ及び３５ｂ並びに目印３６ａ及び３６ｂは、相互位置が調整された状態にある上顎側歯列模型３及び下顎側歯列模型４の夫々の右側であって頬側の部位に、線引き及び／又は筋彫り加工を施すことによって形成する。目印３５ａは目印３６ａに対して前側に形成され、目印３５ｂは目印３６ｂに対して前側に形成される。【００７０】
基準部５が形成された上顎側歯列模型３を撮影する段階では、上顎歯列模型３を印象材２及び下顎歯列模型４から取り外し、上顎側歯列模型３単体を撮影装置によって撮影する。このように撮影することにより、電子計算機上で座標移動処理可能な基準部５を含む上顎歯列模型画像７を生成する。【００７１】
基準部６が形成された下顎側歯列模型４を撮影する段階では、下顎側歯列模型４を印象材２及び上顎側歯列模型４から取り外し、下顎側歯列模型４単体を撮影装置によって撮影する。このように撮影することにより、電子計算機上で座標移動処理可能な基準部６を含む下顎側歯列模型画像８を生成する。【００７２】
斯かる本例の歯列模型の撮影方法によって撮影されて生成された上顎側歯列模型画像７及び下顎側歯列模型画像８は、電子計算機において図５に示すＸ−Ｙ−Ｚ座標系（スクリーン座標系であっても、ワールド座標系であってもよい。）で夫々互いに独立して座標移動させることができ、例えば基準面３０ａ及び３０ｂをＹ軸及びＺ軸に規定される面に対して平行となるように上顎側歯列模型画像７及び下顎側歯列模型画像８の位置を調整し、目印３１ａ、３２ａ、３３ａ、３４ａ、３５ａ及び３６ａの夫々が目印３１ｂ、３２ｂ、３３ｂ、３４ｂ、３５ｂ及び３６ｂの夫々に対して一直線上に配されるように上顎側歯列模型画像７及び下顎側歯列模型画像８の位置を調整することができる。このように上顎側歯列模型画像７及び下顎側歯列模型画像８の相互位置を基準面３０ａ及び３０ｂ、目印３１ａ、３２ａ、３３ａ、３４ａ、３５ａ及び３６ａ並びに３１ｂ、３２ｂ、３３ｂ、３４ｂ、３５ｂ及び３６ｂに基づいて調整することで、上顎側歯列模型画像７及び下顎側歯列模型画像８の相互位置を患者の咬合状態における上顎側歯列及び下顎側歯列の相互位置に容易に対応させ得る。【００７３】
尚、印象材２、上顎側歯列模型３及び下顎側歯列模型４が一つの組み合わせ体を構成している状態において、目印３１ａの上下方向Ｖにおける長さ及び目印３１ｂの上下方向Ｖにおける長さの和、目印３２ａの上下方向Ｖにおける長さ及び目印３２ｂの上下方向Ｖにおける長さの和、目印３３ａの上下方向Ｖにおける長さ及び目印３３ｂの上下方向Ｖにおける長さの和、目印３４ａの上下方向Ｖにおける長さ及び目印３４ｂの上下方向Ｖにおける長さの和、目印３５ａの上下方向Ｖにおける長さ及び目印３５ｂの上下方向Ｖにおける長さの和並びに目印３６ａの上下方向Ｖにおける長さ及び目印３６ｂの上下方向Ｖにおける長さの和のうちの少なくとも一つの和を計測した場合には、コンピュータ上において、計測した前記和に基づいて上顎側歯列模型画像７と下顎側歯列模型画像８との相互位置をより簡単に調整し得る。【００７４】
基準部５及び６を上顎側歯列模型３及び下顎側歯列模型４に形成する段階では、上述の目印３１ａ及び３１ｂ、３２ａ及び３２ｂ、３３ａ及び３３ｂ、３４ａ及び３４ｂ、３５ａ及び３５ｂ並びに３６ａ及び３６ｂのうちの少なくとも一対の目印の形成に代えて又はこれらの形成に加えて、上顎側歯列模型３の後面１４に基準部５としての目印を形成し、当該目印に相対する基準部６としての目印を下顎側歯列模型４の後面２４に形成してもよい。また、基準部５及び６を上顎側歯列模型３及び下顎側歯列模型４に形成する段階では、上述の目印３１ａ及び３１ｂ、３２ａ及び３２ｂ、３３ａ及び３３ｂ、３４ａ及び３４ｂ、３５ａ及び３５ｂ並びに３６ａ及び３６ｂのうちの少なくとも一対の目印の形成に代えて又はこれらの形成に加えて、上顎側歯列模型３の模型上歯列相当部１１に囲まれた口蓋側の部位に基準部５としての目印、好ましくは二つの目印を形成し、当該目印に相対する基準部６としての目印、好ましくは二つの相対する目印を下顎側歯列模型４の模型上歯列相当部２１に囲まれた舌側の部位に形成してもよく、斯かる目印は、例えばドリル等を用いて加工した孔からなっていてもよい。【００７５】
基準部５及び６を上顎側歯列模型３及び下顎側歯列模型４に形成する段階では、上述の目印３１ａ及び３１ｂ、３２ａ及び３２ｂ、３３ａ及び３３ｂ、３４ａ及び３４ｂ、３５ａ及び３５ｂ並びに３６ａ及び３６ｂのうちの少なくとも一対の目印の形成に代えて又はこれらの形成に加えて、例えば図６に示すように、前後方向Ｈに伸びた筋からなる目印４１ａを上顎側歯列模型３に形成し、当該目印４１ａに相対する前後方向Ｈに伸びた筋からなる目印４１ｂを下顎側歯列模型４に形成してもよい。目印４１ａ及び４１ｂの夫々の筋は好ましくは互いに平行である。目印４１ａ及び４１ｂの形成後、目印４１ａから目印４１ｂまでの上下方向Ｖにおける距離を計測しておくと、その後に撮影して生成した上顎側歯列模型７と下顎側歯列模型画像８の相互位置の調整に前記計測した距離を参照することで、当該調整をより簡単に行い得る。また、上顎側歯列模型３及び下顎側歯列模型４の夫々に互いに相対する一対の目印を唇側に形成する場合には、当該一対の目印は横方向Ｓに平行に夫々伸びていてもよい。【００７６】
基準部５及び６を上顎側歯列模型３及び下顎側歯列模型４に形成する段階では、上述の目印３１ａ及び３１ｂ、３２ａ及び３２ｂ、３３ａ及び３３ｂ、３４ａ及び３４ｂ、３５ａ及び３５ｂ並びに３６ａ及び３６ｂは夫々上下方向Ｖにおいて一直線上に伸びて形成されるが、例えばこれらの各対の目印のうちのいずれかの対の目印が上下方向Ｖに交差する斜め方向に一直線上に伸びる筋によって形成されてもよい。【００７７】
基準部５及び６を上顎側歯列模型３及び下顎側歯列模型４に形成する段階では、上述の目印３１ａ及び３１ｂ、３２ａ及び３２ｂ、３３ａ及び３３ｂ、３４ａ及び３４ｂ、３５ａ及び３５ｂ並びに３６ａ及び３６ｂのうちの少なくとも一対の目印の形成に代えて又はこれらの形成に加えて、例えば図６に示すように、点からなる目印４２ａを上顎側歯列模型３に形成し、当該目印４２ａに相対する点からなる目印４２ｂを下顎側歯列模型４に形成してもよい。目印４２ａ及び４２ｂの形成後、目印４２ａから目印４２ｂまでの距離を計測しておくと、その後に撮影して生成した上顎側歯列模型７と下顎側歯列模型画像８の相互位置の調整に前記計測した距離を参照することで、当該調整をより簡単に行い得る。【００７８】
本例の歯列模型の撮影方法によれば、上顎側歯列模型３と下顎側歯列模型４との相互位置を調整する段階と、相互位置が調整された上顎側歯列模型３に撮影可能な基準部５を形成し、相互位置が調整された下顎側歯列模型４に、前記上顎側歯列模型３に形成された基準部５に対する基準位置を示す撮影可能な基準部６を形成する段階と、基準部５及び６が夫々形成された上顎側歯列模型３及び下顎側歯列模型４の夫々を撮影する段階とを具備しているために、上顎側歯列模型画像７と下顎側歯列模型画像８との相互の位置関係を患者の上顎側歯列と下顎側歯列との相互の位置関係に容易に対応させることができる。
【符号の説明】
【００７９】
２  印象材
３  上顎側歯列模型
４  下顎側歯列模型
５  基準部
６  基準部
７  上顎側歯列模型画像
８  下顎側歯列模型画像
【図１】
2013132537.tif 000003
【図２】
2013132537.tif 000004
【図３】
2013132537.tif 000005
【図４】
2013132537.tif 000006
【図５】
2013132537.tif 000007
【図６】
2013132537.tif 000008
【国際調査報告】
2013132537.tif 000009
2013132537.tif 000010
2013132537.tif 000011